(57)【要約】【課題】切断材を載置するテーブルが水平回転可能で、ロック機構で回転位置をロックする構成とした卓上切断機において、テーブル回転時に把持するグリップ部を回転するとロック機構がロック、アンロックされる場合に、従来ロック、アンロック操作のためにグリップ部を何度も回転させる必要があり、この点で使用者の手首の負担が大きく操作性を高める必要があった。本発明では、グリップ部の回転操作性を高めて手首の負担を小さくすることを目的とする。【解決手段】グリップ部３２を軸方向の非操作位置と操作位置との間を移動操作可能に設け、操作位置に移動させた状態でのみ回転操作が有効になってロック機構３０をロック、アンロックでき、非操作位置では空回りしてロック機構３０が作動しない構成とする。【選択図】図７
2010058229.tif 000002
【特許請求の範囲】
【請求項１】
ベースに水平回転可能に支持されたテーブルを備えた卓上切断機であって、
前記テーブルはその回転操作時に把持するグリップ部と、前記ベースに対する回転を規制するロックアームと、該ロックアームに前記グリップ部の回転操作による回転運動を伝達するためのクラッチ部を備え、
前記クラッチ部を介して前記グリップ部の回転操作による回転運動が前記ロックアームに伝達される状態と遮断される状態とに切り換え可能な構成とした卓上切断機。
【請求項２】
請求項１記載の卓上切断機であって、前記グリップ部は、作動軸を介してその軸回りに回転可能かつ軸線方向の操作位置と非操作位置との間を変位可能に支持されており、
前記グリップ部を前記操作位置へ変位させた状態では、該グリップ部の回転操作による回転運動が前記クラッチ部を介して前記ロックアームに伝達される一方、
前記グリップ部を前記非操作位置へ変位させた状態では、該グリップ部の回転操作による回転運動が前記クラッチ部で遮断されて前記ロックアームに伝達されない構成とした卓上切断機。
【請求項３】
請求項２記載の卓上切断機であって、前記作動軸の軸回りに回転して前記ロックアームをロック位置とアンロック位置に移動させる作動カムを備え、該作動カムに対して前記グリップ部が前記操作位置へ変位すると前記クラッチ部が接続されて、該グリップ部の回転操作による回転運動が前記ロックアームに伝達される構成とした卓上切断機。
【請求項４】
請求項３記載の卓上切断機であって、前記グリップ部と前記作動カムとの間に圧縮コイルばねを介装して前記グリップ部を前記非操作位置側にばね付勢した卓上切断機。
【請求項５】
ベースに水平回転可能に支持されたテーブルと、該テーブルの回転をロックするためのロック機構を備えた卓上切断機であって、
前記テーブルはその回転操作時に把持するグリップ部を備えており、
該グリップ部を左回りに回転操作すると前記ロック機構により前記テーブルが回転不能にロックされる一方、前記グリップ部を右回りに回転操作すると前記ロック機構がアンロックされて前記テーブルを回転可能な状態となる構成とした卓上切断機。
【請求項６】
ベースに水平回転可能に支持されたテーブルを備えた卓上切断機であって、
前記テーブルはその回転操作時に把持するグリップ部と、前記ベースに対する回転を規制するロックアームを備え、
前記ロックアームは、前記テーブルの下面側において作動カムと支軸の２点で受けられて該支軸を中心にして上下に傾動可能に支持されており、該支軸に対して一端側の前記作動カムとの間において前記テーブルの下面との間に圧縮ばねを介装して該圧縮ばねの付勢力により前記ロックアームを下向きに付勢して、該ロックアームの他端側と前記テーブルの下面との間に前記ベース側を挟み込んで該テーブルの回転を規制する構成とした卓上切断機。
【請求項７】
請求項６記載の卓上切断機であって、前記圧縮ばねは、前記テーブルの下面に設けた保持柱部の周囲に装着され、該保持柱部の下端と前記ロックアームを相対変位可能にねじ結合して前記圧縮ばねの付勢力を前記ロックアームに作用させる構成とした卓上切断機。
【発明の詳細な説明】
【技術分野】
【０００１】
この発明は、切断材をテーブル上に載置して切断加工を行う卓上形の切断機に関する。
【背景技術】
【０００２】
この種の卓上切断機は、切断材を載置するテーブルと、このテーブルの後部に上下に移動操作可能に支持された切断機本体を備えている。切断機本体は、電動モータを駆動源として回転する円形の切断刃を備えている。この切断機本体を下動させて回転する回転刃をテーブル上の切断材に切り込むことにより切断加工が行われる。
この種の卓上切断機のうち、いわゆるマイタソーと称されるものは、テーブルがベース上に水平回転可能に支持されており、テーブルを回転させることにより切断材に対する鋸刃の切込み角度を任意に変更していわゆる斜め切り加工を行うことができる。
テーブルの回転位置は、回転ロック機構により一定の角度位置あるいは任意の角度位置に位置決めすることができる。係る回転ロック機構に関する技術が下記の特許文献に開示されている。
これら従来の回転ロック機構では、テーブルを予め設定した複数の角度位置に位置決め固定するためのいわゆるポジティブロック形式の第１系統と、テーブルを任意の角度位置に位置決め固定するための第２系統を備えている。第１系統のポジティブ式回転ロック機構は、テーブル下面に設けたロックピンをベースに一定角度毎に設けた位置決め孔に進退させて一定の角度位置にテーブルをロック、アンロックする構成となっている。第２系統の回転ロック機構は、テーブル側に設けたロックねじをベースに押し付けて任意の角度位置にロックする構成としたもので、ロックねじの締め込み、緩め操作によりロック、アンロックする構成となっていた。
上記のロックねじは、使用者がテーブルの回転操作時に把持するグリップ部に設けられていた。このため、使用者はグリップ部を把持してテーブルを任意の角度位置に回転させ、そのままグリップ部をその軸回りに回転操作してロックねじを締め込むことによりテーブルをこの角度位置にロックすることができた。
【特許文献１】米国特許第６５１３４１２号公報
【特許文献２】特開平９−２０７０２３号公報
【特許文献３】特開２００７−８３６１０号公報
【発明の開示】
【発明が解決しようとする課題】
【０００３】
しかしながら、上記従来の２系統の回転ロック機構のうち後者の第２系統の回転ロック機構には次のような問題もあった。第２系統の回転ロック機構によれば、グリップ部とロックねじが直結（動力伝達について一体化）されていたためグリップ部を回転操作すれば必ずロックねじがロック側若しくはアンロック側に回転する。また、通常グリップ部は、テーブル回転操作時の便宜を図るため使用者の手前側に配置されている。
このため、使用者はこのグリップ部を楽に回転操作するために必要な手首の体勢を、グリップ部を握ったり離したりを繰り返して探さなければならなかった。仮に、グリップ部を握った状態で良好な手首の体勢を探そうとすると、力の入らない手首の位置でロックねじがベースに当接してしまったり、反対にグリップ部が緩みすぎたりすることがあった。
本発明は、係る従来の問題を解消するためになされたもので、テーブルのロック、アンロック時のグリップ部の操作性を向上させることを目的とする。
【課題を解決するための手段】
【０００４】
このため、本発明は、特許請求の範囲の各請求項に記載した構成の卓上切断機とした。
請求項１記載の卓上切断機によれば、クラッチ部を遮断しておくことによりグリップ部の回転操作による回転運動がロックアームに伝達されない状態（空回り状態）とすることができるので、操作時には先ずグリップ部を握り、手首の体勢を整えた後、そのままロック操作またはアンロック操作ができる。クラッチ部を動力伝達状態とすることにより、グリップ部の回転操作による回転運動がロックアームに伝達されて、テーブルの回転ロック状態とアンロック状態を切り換えることができる。
請求項２記載の卓上切断機によれば、グリップ部を作動軸上の回転操作位置に変位させるとクラッチ部が動力伝達状態となり、この状態でグリップ部を作動軸回りに回転操作することによりロックアームをロック位置若しくはアンロック位置に移動させて、テーブルを回転不能にロックし、若しくは回転自在にアンロックすることができる。
これに対してグリップ部を作動軸上の非操作位置に位置させた状態では、クラッチ部が遮断されて当該グリップ部がその回転操作についてロックアームから切り離された状態となる。このため、この非操作位置においてグリップ部を回転操作してもロックアームは変位しないことから、テーブルの回転ロック状態若しくはアンロック状態がそのまま維持される。
このように請求項２記載の構成によれば、グリップ部を操作位置に移動させた状態でのみその回転操作が有効になってロックアームを移動させることができ、これによりテーブルをロック、アンロックすることができる一方、グリップ部を非操作位置に位置させたままでは空回りしてその回転操作による回転運動がロックアームに伝達されない結果、テーブルのロック状態若しくはアンロック状態が維持される。このことから、グリップ部を非操作位置で把持して行うテーブルの回転操作時において、当該グリップ部が作動軸回りに回転操作された場合であっても、ロックアームが移動しないため、テーブルのアンロック状態が確実に維持される。また、テーブルの回転ロック状態において、グリップ部を回転操作しても空回りするのみでその回転動力がロックアームに伝達されず、従ってテーブルの回転ロック状態がそのまま維持される。
また、請求項２記載の構成によれば、グリップ部を把持して作動軸方向の操作位置側へ変位させ、その把持状態を維持したまま連続して作動軸回りに回転操作することによりテーブルの回転ロック状態と回転アンロック状態を切り換えることができる。このため、使用者は、グリップ部を把持した手の力を入れる方向を大きく変えることなく一連の操作として行うことができるので手首への負担を小さくすることができ、この点で当該ロック機構の操作性を高めることができる。
請求項３記載の卓上切断機によれば、グリップ部を回転操作位置に変位させると、当該グリップ部がその回転操作についてクラッチ部を経て作動カムに噛み合わされて一体化される。このため、グリップ部を回転操作すると作動カムの回転を経てロックアームがロック位置に移動し、若しくはアンロック位置に移動してテーブルが回転ロックされ、若しくはアンロックされる。
請求項４記載の卓上切断機によれば、グリップ部の操作を止めると当該グリップ部はばね付勢力によって自動的に非操作位置に戻される。この非操作位置ではグリップ部が空回りしてテーブルの回転ロック状態及びアンロック状態が維持される。
【０００５】
請求項５記載の卓上切断機によれば、使用者がグリップ部を右回りに回転操作するとテーブルの回転ロック状態が解除（アンロック）され、左回りに回転操作するとテーブルが回転不能にロックされる。これに対して従来公知の回転ロック機構であってロックねじの締め込みによりテーブルを回転ロックする構成では、当該ロックねじを右回りに回転させてテーブルをロックし、左回りに回転させてアンロックする構成となっていた。請求項６記載の卓上切断機では、ロック操作とアンロック操作についてグリップ部の回転方向が従来のねじ締め込み式のロック機構とは逆になっている。
通常、使用者はグリップ部の左側に位置して右手でグリップ部を把持する。この場合に、使用者は右手でグリップ部を右回ししてアンロックし、そのまま当該グリップ部を手前側へ移動させてテーブルを左方向に回転させることができ、逆にグリップ部を右方へ押すことによりテーブルを右方向に回転させることができる。
このように、右利きの使用者の場合、グリップ部の左側に位置して右手でグリップを把持することから、グリップ部のアンロック操作時及び当該アンロック状態を保持しつつテーブルを回転操作する時の右手首のひねり方向をより楽な上側へ凸となる向きとすることができ、この点で右手首の負担を少なくすることができので当該回転ロック機構の操作性をよくすることができる。
請求項６記載の卓上切断機によれば、ロックアームは支軸を中心にして上下に傾動可能に支持されており、作動カムによってその一端側が下動すると他端側が上動し、一端側が上動すると他端側が下動する状態に支持されている。また、支軸と一端側との間においてロックアームは圧縮ばねによって下向きに付勢されていることから、ロックアームの一端側は下方へ付勢され、他端側は上方へ付勢されている。ロックアームの他端側とテーブルの下面との間にベース側が挟み込まれて当該テーブルの回転が規制されることから、当該ロックアームを「てこ」として作用させることにより、この圧縮ばねの付勢力でベース側が挟み込まれてテーブルが回転ロックされる。
請求項７記載の卓上切断機によれば、ロックアームの一端側を作動カムに係合させ、他端側を支軸に乗せ掛けた状態で、当該ロックアームを支軸とその一端側との間においてテーブル側の保持柱部にねじ結合すれば当該ロックアームがテーブル側に圧縮ばねで付勢された状態に組み付けられる。このように保持柱部に対してねじ締めをすればロックアームがテーブルの下面に対してほぼフローティング状態で組み付けられることから、当該回転ロック機構の組み付け性をよくすることができる。
【発明を実施するための最良の形態】
【０００６】
次に、本発明の実施形態を図１〜図９に基づいて説明する。図１は、第１実施形態に係る卓上切断機１の全体を示している。この卓上切断機１の右側に使用者が位置する。以下部材等の前後方向については、使用者側であって図１において右側を前側とし、左側を後側とする。また、左右方向についても使用者を基準として用いる。
この卓上切断機１は、切断材Ｗを載置するためのテーブル２と、このテーブル２を水平回転可能に支持するベース３を備えている。図２に示すようにテーブル２は、ベース３の上面に設けた回転支軸８を介して水平回転自在に支持されている。
テーブル２の後部に、左右傾動機構４と上下二段のスライド機構５，６を介して切断機本体１０が支持されている。切断機本体１０は、支軸１１を介して上側のスライド機構６に支持されている。切断機本体１０は、電動モータ１２を駆動源として回転する円形の鋸刃１３を備えている。鋸刃１３の上側はブレードケース１４で覆われ、下側は可動カバー１５で覆われている。切断機本体１０を下動させると可動カバー１５が連動して開かれて鋸刃１３の下部が露出される。ブレードケース１４には、使用者が当該切断機本体１０を上下動操作する際に把持するハンドル部１６が設けられている。
テーブル２の上面側には、切断材Ｗをテーブル面方向（図１において左右方向）に位置決めするための位置決めフェンス７が配置されている。この位置決めフェンス７は、ベース３の左右側部に設けた補助テーブル部３ｄ，３ｄ間に跨る状態で取り付けられており、その下端部とテーブル２の上面との間には僅かな隙間が設定されている。なお、ベース３の左右補助テーブル部３ｄ，３ｄの上面とテーブル２の上面とは面一に設定されている。
切断材Ｗは、左右補助テーブル３ｄ，３ｄ間に跨って、かつ位置決めフェンス７に当接させた状態でベース３側に固定される。固定した切断材Ｗに対してテーブル２を回転させ、これと一体で切断機本体１０を使用者から見て右側若しくは左側に旋回させることにより、切断材Ｗに対して鋸刃１３を斜めに切り込んでいわゆる斜め切り（マイタカット）を行うことができる。上述した当該卓上切断機１の基本的構成については従来と同様で足り、本実施形態において特に変更を要しない。
【０００７】
テーブル２は、円形部分の前部から手前側へ一定の幅で延長部２ａが突き出した平面形状を有している。テーブル２の中心付近からこの延長部２ａの先端に至る範囲の上面には、鋸刃１３が進入するための刃口２ｂが設けられている。主としてこの延長部２ａに、テーブル２の回転位置をロックするための２系統の回転ロック機構２０，３０が設けられている。その詳細が図２以下に示されている。本実施形態に係る卓上切断機１は、この２系統の回転ロック機構２０，３０のうち、第２ロック機構３０に特徴を有しており、第１ロック機構２０については従来と同様の構成で足りるので以下簡単に説明する。
第１ロック機構２０は、いわゆるポジティブロック機構と称されるもので、テーブル２を予め設定した複数の角度位置に位置決めする機能を有している。これに対して、第２ロック機構３０は、一定の範囲で任意の角度位置にテーブル２を位置決めできる機能を有している。
第１ロック機構２０は、テーブル２の下面に設けたロックピン２１をベース３に一定角度毎に設けた複数の位置決め孔３ａ〜３ａのいずれかに進退させて一定の角度位置にテーブル２をロック、アンロックする構成となっている。ロックピン２１は、テーブル２の延長部２ａの下面に設けた前側の支持壁部２３の支持孔２３ａと後側の支持壁部２４の支持孔２４ａの前後２点で軸方向前後に変位可能な状態で受けられている。ロックピン２１の前部には係合ピン２１ａが放射方向両側に突き出す状態に固定されている。この係合ピン２１ａと前側の支持壁部２３との間には圧縮ばね２５が介装されている。この圧縮ばね２５によってロックピン２１は軸方向後側（図２において左側）に付勢されている。また、係合ピン２１ａの両端部は、操作レバー２６に係合されている。
【０００８】
この操作レバー２６は、支軸２２を介して上下に傾動操作可能な状態で延長部２ａの前部に支持されている。この操作レバー２６は二股形状の脚部２６ｂ，２６ｂを有しており、その間にロックピン２１が配置されている。両脚部２６ｂ，２６ｂの内面にそれぞれ係合溝部２６ａが設けられている。両係合溝部２６ａ，２６ａに係合ピン２１ａの両端部がそれぞれ進入している。上記したように係合ピン２１ａは圧縮ばね２５で後側に付勢されている。このため、操作レバー２６は、ばね付勢された係合ピン２１ａと係合溝部２６ａ，２６ａとの係合状態を経て上方へ傾動する方向に間接的にばね付勢されている。
図２に示すように操作レバー２６が上側のロック位置に位置する状態では、ロックピン２１が圧縮ばね２５によって後側に変位したロック位置に位置している。操作レバー２６は、間接的に作用する圧縮ばね２５に抗して下方へ傾動操作される。図６に示すように操作レバー２６が下側のアンロック位置に傾動操作されることにより、係合ピン２１と係合溝部２６ａ，２６ａとの係合状態を経てロックピン２１が圧縮ばね２５に抗して軸方向前側のアンロック位置に変位する。
ロックピン２１の後端部側は、後側の支持壁部２４から後方へ突き出されている。この突き出し部分が、ベース３に設けた位置決め孔３ａに挿入されることにより、テーブル２のベース３に対する回転位置がロックされる。位置決め孔３ａは、回転支軸８を中心とする円周に沿って複数の角度位置に設けられている。テーブル２を回転させてロックピン２１の後端部を任意角度の位置決め孔３ａに挿入することによりテーブル２がその角度位置に位置決めされる。上記したように操作レバー２６を下方へ傾動操作すると、ロックピン２１が前側に変位してその後端部が位置決め孔３ａから抜き出されるため、テーブル２のロック状態がアンロックされて当該テーブル２を回転させることができる。
このように第１ロック機構２０は、ベース３側の予め設定した角度位置に設けた複数の位置決め孔３ａ〜３ａに対してロックピン２１を抜き差しすることによりテーブル２を一定の角度位置に位置決めする構成（ポジティブロック機構）となっている。
【０００９】
本実施形態に係る卓上切断機１は、上記第１ロック機構２０とは別に第２ロック機構３０を備えている。この第２ロック機構３０もテーブル２の延長部２ａに設けられている。延長部２ａの前部に設けた支持壁部２３には、前記した支持孔２３ａの上側に別の支持孔２３ｂが設けられている。この支持孔２３ｂには作動軸３１が回転可能かつ軸方向に移動可能に支持されている。この作動軸３１の後端部は、支持壁部２３の後側に平行に設けられた補助壁部２７の支持孔２７ａに挿入されている。支持孔２７ａから後方へ突き出された当該作動軸３１の後端部には止め輪２８が装着されている。このため、作動軸３１は軸方向のうち抜け方向（前側）への変位が規制されている。
作動軸３１の前側は、延長部２ａの前方へ突き出されている。作動軸３１の前部には、グリップ部３２が取り付けられている。グリップ部３２は、作動軸３１の前部に対して固定されている。このため、使用者がグリップ部３２を把持して前後に移動操作し、また軸回りに回転操作すると、これと一体で作動軸３１が軸方向前後に移動し、また軸回りに回転する。グリップ部３２の後端部には、噛み合い歯３２ａ〜３２ａが設けられている。本実施形態では、この噛み合いは３２ａ〜３２ａは、周方向４等分位置に４つ設けられている。
【００１０】
このグリップ部３２と支持壁部２３との間において、作動軸３１には作動カム３３が装着されている。この作動カム３３は、作動軸３１に対してその軸回りに相対回転可能に支持されている。この作動カム３３は、放射方向に突き出す２つの噛み合い歯３３ａ，３３ａを一体に備えている。この２つの噛み合い歯３３ａ，３３ａは、周方向２等分位置から放射方向に張り出している。両噛み合い歯３３ａ，３３ａの張り出し先端には、それぞれ係合部３３ｂがさらに放射方向に張り出す状態で一体に設けられている。図４に示すように両係合部３３ｂ，３３ｂの前後幅（前後方向の幅寸法）は、噛み合い歯３３ａの前後幅よりも小さくなっている。
この作動カム３３とグリップ部３２との間には圧縮ばね３４が介装されている。この圧縮ばね３４によってグリップ部３２は作動カム３３から離間する方向（非操作位置側）に付勢され、また作動カム３３は後側に付勢されている。作動カム３３は、支持壁部２３によってその後側への変位が規制されている。このため、作動カム３３は前後方向の変位が実質的に規制されている結果、グリップ部３２は圧縮ばね３４によって前側（非操作位置側）に付勢されている。
図７〜図９には、グリップ部３２の操作及びこれによる作動カム３３との係合状態が示されている。図７は、グリップ部３２を何ら操作しない状態を示している。この状態ではグリップ部３２は圧縮ばね３４によって非操作位置に位置している。この非操作位置では、グリップ部３２の噛み合い歯３２ａ〜３２ａは、作動カム３３の噛み合い歯３３ａ，３３ａと噛み合っていないため、当該グリップ部３２は作動軸３１と一体で作動カム３３に対して空回りする。このため、当該グリップ部３２を誤って回転操作しても第２ロック機構３０のロック状態若しくはアンロック状態はそのまま維持される。
図８及び図９に示すように使用者が圧縮ばね３４に抗してグリップ部３２を後側の操作位置へ押すと、その噛み合い歯３２ａ〜３２ａが作動カム３３の噛み合い歯３３ａ，３３ａに対して回転方向に噛み合う。グリップ部３２の噛み合い歯３２ａ〜３２ａと作動カム３３の噛み合い歯３３ａ，３３ａが噛み合うと、両者が回転方向について一体化される。従って、この操作位置（噛み合い状態）でグリップ部３２を回転操作すると、これと一体で作動カム３３が回転する。図８に示すようにグリップ部３２を左回りに回転操作すると、第２ロック機構３０がロック側に作動してテーブル２の回転がロックされる。逆に、図９に示すようにグリップ部３２を右回りに回転操作すると、第２ロック機構３０はアンロック側に作動してテーブル２を回転可能な状態となる。
以上のことから、グリップ部３２の噛み合い歯３２ａ〜３２ａと作動カム３３の噛み合い歯３３ａ，３３ａが噛み合い式のクラッチ部４０を構成している。噛み合い歯３２ａ〜３２ａと噛み合い歯３３ａ，３３ａが噛み合うとこのクラッチ部４０が動力伝達状態となってグリップ部３２の回転操作が作動カム３３を経てロックアーム３５に伝達される。噛み合い歯３２ａ〜３２ａと噛み合い歯３３ａ，３３ａの噛み合いが外れると、このクラッチ部４０が遮断されてグリップ部３２が空回り状態となる結果、ロックアーム３５は移動せず、従ってテーブル２の回転ロック状態若しくは回転アンロック状態が維持される。第２ロック機構３０についての詳細な作動については後述する。
【００１１】
作動カム３３の回転範囲は、ストッパブロック３９によって約９０°の範囲に規制されている。このストッパブロック３９は、延長部２ａの前面において支持壁部２３の前面に一体に設けられている。図３に示すようにこのストッパブロック３９は、使用者側から見て作動カム３３の右上側に位置している。このストッパブロック３９の下面がロック側のストッパ面３９ａとされ、左側の側面がアンロック側のストッパ面３９ｂとされている。図３に示すテーブル２のロック状態では、作動カム３３の一方の噛み合い歯３３ａ及び係合部３３ｂがロック側のストッパ面３９ａに当接してその反時計回り方向の回転が規制されている。この状態では両係合部３３ｂ，３３ｂが左右側方に張り出した状態となる。後述するように作動カム３３がこの位置に位置する状態では、テーブル２の回転ロック状態となる。
一方の噛み合い歯３３ａ及び係合部３３ｂがストッパブロック３９のストッパ面３９ａに当接したロック状態から、作動カム３３が図５に示すように使用者側から見て時計回り方向（右回り方向）に約９０°回転すると、他方の噛み合い歯３３ａ及び係合部３３ｂがストッパブロック３９のアンロック側のストッパ面３９ｂに当接してその時計回り方向の回転が規制される。この状態では両係合部３３ｂ，３３ｂが上下に張り出した状態となる。この状態では後述するようにテーブル２のアンロック状態となる。
【００１２】
このように、グリップ部３２を操作位置に押し込んで約９０°の範囲で回転操作することにより、係合部３３ｂ，３３ｂが左右方向へ張り出すロック位置と上下方向に張り出すアンロック位置との２位置に作動カム３３を回転させることができる。本実施形態の場合、グリップ部３２を左回り（使用者から見て反時計回り方向）に回転操作すると、ストッパブロック３９のロック側（下面側）のストッパ面３９ｂに一方の噛み合い歯３３ａと係合部３３ｂが当接してテーブル２の回転がロックされる。逆に、グリップ部３２を右回り（使用者から見て時計回り方向）に回転操作すると、ストッパブロック３９のロック側（左側面）のストッパ面３９ａに他方の噛み合い歯３３ａと係合部３３ｂが当接してテーブル２が回転についてアンロックされる。このことから、グリップ部３２の回転方向については、従来の固定ねじ（右ねじ）の締め込みによりロックする場合とは回転操作方向が逆になっている。
使用者がグリップ部３２の押し操作を止めると、当該グリップ部３２は圧縮ばね３４によって前側の非操作位置に戻される。図７に示すようにグリップ部３２が非操作位置に戻されると、その噛み合い歯３２ａ〜３２ａの噛み合い歯３３ａ，３３ａに対する噛み合い状態が解除される。このため、グリップ部３２をこの非操作位置で回転操作しても作動カム３３は回転せず、従ってグリップ部３２の空回り状態となる。この空回り状態では、作動カム３３はロック位置若しくはアンロック位置に保持される。
この作動カム３３がロック位置からアンロック位置にあるいはその逆に切り換わることにより、ロックアーム３５がロック位置からアンロック位置にあるいはその逆に切り換わる。
【００１３】
ロックアーム３５は、延長部２ａの下方に沿って配置されている。このロックアーム３５は、概ねＬ字形に屈曲しており、その前側の縦部３５ａは、延長部２ａの前面に沿って立ち上がっている。この縦部３５ａには、切り換え孔３５ｂが形成されている。この切り換え孔３５ｂ内に上記作動カム３３が位置している。このため、図３に示すように作動カム３３がロック位置に位置する状態では、係合部３３ｂ，３３ｂが左右側方へ張り出す状態であるため、切り換え孔３５ｂの上縁部が作動カム３３の側部（係合部３３ｂ，３３ｂから外れた円筒部の側面であって係合部３３ｂよりも作動軸３１の軸線に近い部位）に当接し、その結果縦部３５ａが下側へ変位して当該ロックアーム３５がロック位置に位置する状態となる。
これに対して、図５に示すように作動カム３３がアンロック位置に位置する状態ではその両係合部３３ｂ，３３ｂが上下に張り出す状態であるので、上側へ張り出す係合部３３ｂによって縦部３５ａがリフトされて当該ロックアーム３５がアンロック位置に位置する状態となる。
ロック状態及びアンロック状態のいずれにおいても、縦部３５ａは、作動カム３３で下方から受けられて支持されている。
ロックアーム３５の横部３５ｃは、支軸３６と結合ねじ３７によって下方から受けられている。横部３５ｃの長手方向（前後方向）のほぼ中央には円形の凹部３５ｄが設けられている。この凹部３５ｄの底部には挿通孔３５ｅが設けられている。当該横部３５ｃの凹部３５ｄから後端部３５ｆに至る範囲の上方には、テーブル２の延長部２ａに一体に設けられた横壁部２９が位置している。この横壁部２９の前側には、保持柱部２９ａが下方へ突き出す状態に設けられている。この保持柱部２９ａの下端部側は、ロックアーム３５の挿通孔３５ｅ内に相対変位可能に挿通されている。この保持柱部２９ａの周囲であって、横壁部２９と凹部３５ｄの底部との間には圧縮ばね３８が介装されている。この圧縮ばね３８によって横部３５ｃが下方へ付勢されている。
【００１４】
保持柱部２９ａの下端部には、フランジ部３７ａが結合ねじ３７によって取り付けられている。このフランジ部３７ａは挿通孔３５ｅよりも大きな径を有している。このフランジ部３７ａを含む結合ねじ３７によってロックアーム３５の横部３５ｃが保持柱部２９ａに対して離脱しないように支持されている。
横部３５ｃの凹部３５ｄと後端部３５ｆとの間において当該横部３５ｃが支軸３６によって下方から受けられている。横部３５ｃひいては当該ロックアーム３５はこの支軸３６を支点として上下に傾動する。支軸３６を支点にして横部３５ｃが上下に傾動すると、保持柱部２９ａの下端部がロックアーム３５の挿通孔３５ｅに対して相対的に進退（上下方向に相対変位）する。横部３５ｃの支軸３６よりも前側の範囲が上方へ変位する方向に当該ロックアーム３５が傾動すると、支軸３６よりも後側の範囲であって前記後端部３５ｆは、下方へ変位する。
横部３５ｃの後端部３５ｆの上方には、ロック板３ｂが位置している。このロック板３ｂは、一定幅の円弧形を有する薄板で、ねじ３ｃ〜３ｃによってベース３に固定されている。このロック板３ｂの上方には、テーブル２の横壁部２９に設けたロック壁部２９ｂが位置している。横部３５ｃの後端部３５ｆが上方へ変位してロック板３ｂが当該後端部３５ｆとロック壁部２９ｂと間に挟み込まれると、テーブル２の回転がロックされる。横部３５ｃの後端部３５ｆが下方へ変位してロック壁部２９ｂとによるロック板３ｂの挟み込み状態が解除されると、テーブル２がベース３に対して回転可能な状態となる。
このようにロックアーム３５は支軸３６を支点としてシーソーのように傾動し、かつ支軸３６に対して圧縮ばね３８を後端部３５ｆとは反対側に作用させることにより当該ロックアーム３５を「てこ」として作用させることができる。このため、比較的付勢力の小さな小形の圧縮ばね３８であっても、その付勢力を増幅して後端部３５ｆに作用させることができ、これによりコンパクトな構成で大きな回転ロック力が得られるようになっている。
【００１５】
以上のように構成した第２ロック機構３０によれば、図７に示すように使用者がグリップ部３２を何ら操作しない状態では、当該グリップ部３２は圧縮ばね３４により作動カム３３から離間する方向（非操作位置側）に付勢されていることから、その噛み合い歯３２ａ，３２ａが作動カム３３の係合部３３ｂ，３３ｂに対して前側へずれた位置に位置する状態となっている。
このため、この非操作位置ではクラッチ部４０が噛み合わないためグリップ部３２が回転操作されても作動カム３３は回転せず、当該グリップ部３２及び作動軸３１の空回り状態となる。このグリップ部３２の空回り状態では、ロックアーム３５が傾動しないためテーブル２は回転ロック状態に保持され、若しくはアンロック状態に保持される。
これに対して、使用者がグリップ部３２を圧縮ばね３４に抗して後側の操作位置に押し込むと、その噛み合い歯３２ａ〜３２ａが作動カム３３の噛み合い歯３３ａ，３３ａ間に進入するため、相互に回転方向に噛み合ったクラッチ部の接続状態となる。このため、グリップ部３２を押し込み状態のまま、右側若しくは左側へ約９０°回転操作すると、両噛み合い歯３２ａ，３３ａの回転方向の噛み合いを経てロックアーム３５が傾動してテーブル２を任意の回転位置でロックすることができ、逆にアンロックしてテーブル２を回転させることができる。前記したように本実施形態の場合、図９に示すようにグリップ部３２を右回りに回転操作すると回転ロック機構３０がアンロック状態となる。逆に、図８に示すようにグリップ部３２を左回りに回転操作すると回転ロック機構３０がロック状態となって、テーブル２の回転位置がロックされる。
【００１６】
図２、図３及び図８は、テーブル２の回転ロック状態を示している。この回転ロック状態では、作動カム３３の一方の噛み合い歯３３ａと係合部３３ｂがストッパブロック３９の下面側のストッパ面３９ａに当接して両係合部３３ｂ，３３ｂが左右側方へ張り出した状態となる。このため、ロックアーム３５の縦部３５ａは圧縮ばね３８の付勢力によって下側へ変位し、従って横部３５ｃは支軸３６を支点にして図２において時計回り方向に傾動したロック位置に位置している。横部３５ｃがロック位置に変位している結果、支軸３６より後側の後端部３５ｆは上方へ変位しており、従ってベース３側のロック板３ｂが当該後端部３５ｆと横壁部２９のロック壁部２９ｂとの間に挟み込まれた状態となっている。ロック板３ｂは、圧縮ばね３８の付勢力によって後端部３５ｆとロック壁部２９ｂとの間に強固に挟み込まれている。このようにベース３側のロック板３ｂが、テーブル２側のロックアーム３５の後端部３５ｆとロック壁部２９ｂとの間に強固に挟み込まれることによって、テーブル２が回転不能にロックされた回転ロック状態となっている。
この回転ロック状態とした後に使用者がグリップ部３２から手を離せば、図７に示すようにグリップ部３２は圧縮ばね３４によって前側の非操作位置に戻される。この非操作位置ではグリップ部３２は空回りするのみであるため、前記したようにその誤操作がなくなる。
上記回転ロック状態において、使用者がグリップ部３２を圧縮ばね３４に抗して後側の操作位置に押し込むと、再びその噛み合い歯３２ａ〜３２ａが作動カム３３の噛み合い歯３３ａ，３３ａと回転方向に噛み合う状態となる。このため、この押し込み状態のまま図９に示すようにグリップ部３２を時計回り方向に約９０°回転操作すると、図５に示すようにストッパブロック３９の左側のストッパ面３９ｂに他方の噛み合い歯３３ａと係合部３３ｂが当接して両係合部３３ｂ，３３ｂが上下に張り出した状態となる。このため、ロックアーム３５の縦部３５ａは上側へ張り出す係合部３３ｂによってリフトされ、その結果、横部３５ｃは支軸３６を支点にして図４において反時計回り方向に傾動したアンロック位置に位置している。こうして横部３５ｃが圧縮ばね３８に抗してアンロック位置に変位すると、その後端部３５ｆは下方へ変位するため、当該後端部３５ｆと横壁部２９のロック壁部２９ｂとによるベース３側のロック板３ｂの挟み込みが解除される。ベース３側のロック板３ｂの挟み込みが解除されると、テーブル２の回転ロック状態が解除（アンロック）されるため、テーブル２は回転自在な状態となる。
テーブル２を任意の回転位置まで回転させた後、グリップ部２を操作位置へ押し込み状態のまま、左回りに回転操作すれば、作動カム３３が図３に示すロック位置に移動する結果、前記したようにロックアーム３５がロック位置に移動してテーブル２がこの回転位置でロックされる。
【００１７】
以上説明した第２ロック機構３０は、前記第１ロック機構２０をアンロックした状態でロック、アンロック操作される。図６は、第１及び第２ロック機構２０，３０を共にアンロック状態に切り換えた状態を示している。
本実施形態の卓上切断機１において、回転ロック状態のテーブル２の回転位置を変更しようとする場合には、使用者は、例えば右手でグリップ部３２を把持してこれを操作位置に押し込むとともに、親指で操作レバー２６を下方のアンロック位置へ傾動させて第１ロック機構２０をアンロックする。この段階では、第２ロック機構３０がロック状態であるので、テーブル２を回転させることができない。
第１ロック機構２０のアンロック状態を維持したまま、グリップ部３２をその操作位置で右回りに回転操作して第２ロック機構３０をアンロックする。これにより、テーブル２が回転可能な状態となる。そこで、使用者は、操作レバー２６を下方のアンロック位置に傾動させ、かつグリップ部３２を右回りに回転操作した状態のまま、当該グリップ部３２を右方又は左方へ移動させることにより、テーブル２を平面視反時計回り方向又は時計回り方向に回転させることができる。
テーブル２の回転位置が予め設定された特定の角度位置（例えば、１５°，３０°，４５°等の使用頻度が高い角度）であるならば、第１ロック機構２０の操作レバー２６の押し下げ操作を解除すれば（親指を離せば）、当該操作レバー２６が上方のロック位置に戻されてロックピン２１がベース２側の対応するロック孔３ａに進入することによりテーブル２の回転位置がロックされる。こうして第１ロック機構２０によりテーブル２が回転ロックされ、さらにグリップ部３２をその操作位置で左回りに回転操作することにより第２ロック機構３０がロック状態となってテーブル２の回転位置がより強固にロックされる。
テーブル２の回転位置が予め設定された特定の角度位置ではない場合には、第１ロック機構２０の操作レバー２６の押し下げ操作を維持したまま、先にグリップ部３２を左回りに回転操作することにより第２ロック機構３０によってテーブル２が回転ロックされる。その後、第１ロック機構２０の操作レバー２６の押し下げを解除すれば、ロックピン２１がベース３側の隣接する２つのロック孔３ａ，３ａ間に突き当てられる。この場合、第１ロック機構２０はテーブル２の回転ロックについては機能しない。
【００１８】
以上のように構成した第１実施形態に係る卓上切断機１によれば、切断材Ｗを載置するテーブル２の回転位置が２系統の回転ロック機構２０，３０によってロックされる。２系統のうち、第２ロック機構３０は、使用者がテーブル回転操作時に把持するグリップ部３２を備えている。このグリップ部３２は、何ら操作しない状態では圧縮ばね３４によって非操作位置に保持され、この非操作位置ではグリップ部３２は空回りして当該第２ロック機構３０をロック、アンロック操作することができないようになっている。このため、テーブルのロック、アンロック操作時には使用者は先ずグリップ部を握り、手首の体勢を整えた後に（手首の姿勢が楽な位置にグリップ部を空回りさせた後に）、そのまま操作位置側に押し込んで当該グリップ部を回転操作することができ、この点で当該グリップ部の操作性を高めることができる。
また、従来のねじ締めによる回転ロック機構の場合のようにロックねじを何回も回転するのではなく、グリップ部３２を約９０°の範囲で回転させれば、ロック、アンロックすることができるので、この点で当該第２ロック機構３０ひいては卓上切断機１の操作性をよくすることができる。
さらに、第２ロック機構３０において、ロックアーム３５の一端側（縦部３５ａ）を作動カム３３に係合させ、他端側を支軸３６に乗せ掛けた状態で、当該ロックアーム３５を支軸３６と縦部３５ａとの間においてテーブル２側の保持柱部２９ａに結合ねじ３７を締め込んでねじ結合すれば当該ロックアーム３５がテーブル２側に圧縮ばね３８で付勢された状態に組み付けられる。このように保持柱部２９ａに対してねじ締めをすればロックアーム３５がテーブル２の下面に対してほぼフローティング状態で組み付けられることから、当該ロックアーム３５ひいてはロック機構３０の組み付け性をよくすることができる。
また、グリップ部３２を把持して操作位置側へ変位させ、その把持状態を維持したまま回転操作することにより当該第２ロック機構３０をロック、アンロック操作することができる。このため、使用者は、グリップ部を把持した手の力を入れる方向を大きく変えることなく一連の操作として行うことができるので手首への負担を小さくすることができ、この点で当該ロック機構の操作性を高めることができる。
【００１９】
また、使用者がグリップ部３２を右回りに回転操作するとテーブル２の回転ロック状態が解除（アンロック）され、左回りに回転操作するとテーブル２が回転不能にロックされる。これに対して従来公知の回転ロック機構であってロックねじの締め込みによりテーブルを回転ロックする構成では、当該ロックねじを右回りに回転させてテーブルをロックし、左回りに回転させてアンロックする構成となっていた。例示した実施形態では、ロック操作とアンロック操作についてグリップ部３２の回転方向が従来とは逆になっている。
通常、右利きの使用者であれば、使用者はグリップ部３２の左側に位置して右手でグリップ部３２を把持する。この場合に、使用者は右手で把持したグリップ部３２をそのまま右回ししてアンロックし、そのまま当該グリップ部３２を手前側へ移動させればテーブル２を左方向（平面的に見て時計回り方向）に回転させることができ、逆にグリップ部３２を右方へ押すことによりテーブル２を右方向（平面的に見て反時計回り方向）に回転させることができる。
このように、右利きの使用者の場合、グリップ部３２の左側に位置して右手でグリップ部３２を把持することから、グリップ部３２のアンロック操作時及び当該アンロック状態を保持しつつテーブル２を左側若しくは右側に回転操作する時の右手首のひねり方向をより楽な上側へ凸なる向きとすることができ、これにより右手首の負担を少なくすることができるので、この点でも当該第２ロック機構３０ひいては卓上切断機１の操作性をよくすることができる。
また、例示した実施形態によれば、ロックアーム３５が支軸３６を支点にしてその縦部３５ａ側と後端部３５ｆ側を相互に反対方向に変位させる状態に傾動する構成とされ、支軸３６に対して後端部３５ｆとは反対側に作用させる圧縮ばね３８の付勢力によってベース３側のロック板３ｂを挟み込んでテーブル２をロックする構成となっていることから、当該ロックアーム３５を支軸３６を支点とする「てこ」として作用させることができる。このため、支軸３６に対する後端部３５ｆ及び圧縮ばね３８の作用点を適切に設定することにより、ロック板３ｂの挟み込み力を任意に設定することができ、これによりテーブル２の適切な回転ロック力を設定することが容易になる。また、比較的付勢力の小さな小形の圧縮ばねで大きな回転ロック力を得ることができる。
【００２０】
以上説明した第１実施形態には種々変更を加えることができる。図１０〜図１３には第２実施形態に係る第２ロック機構５０が示されている。第１ロック機構２０及びその他の構成については、前記した第１実施形態と同様で足りるので、同位の符号を用いてその説明を省略する。第２実施形態に係る第２ロック機構５０は、前記第１実施形態のロックアーム３５が前後（長手方向）に二分割されている点で第１実施形態と異なっている。
第２実施形態に係る第２ロック機構５０のロックアーム５１は、前側アーム５２と後側アーム５３に分割されている。前側アーム５２の後部と後側アーム５３の前部は、連結ピン５５を介して相互に連結されている。前側アーム５２は、概ねＬ字形に屈曲しており、その前側の縦部５２ａは延長部２ａの前面に沿って立ち上がっている。この縦部５２ａには、切り換え孔５２ｂが形成されている。この切り換え孔５２ｂ内に作動カム３３が位置している。
この前側アーム５２は、その長手方向ほぼ中央において、延長部２ａ側に設けた前側支軸５４によって下側から受けられている。このため、前側アーム５２は、前側支軸５４を中心にしてその前側（縦部５２ａ側）と後側（連結ピン５５側）とを上下相互に反対側へ変位させる状態で支持されている。
前側アーム５２の縦部５２ａには、第１実施形態と同じく切り換え孔５２ｂが設けられている。この切り換え孔５２ｂ内に作動カム３３が位置している。第１実施形態と同様この作動カム３３はクラッチ部４０を経たグリップ部３２の回転操作に作動軸３１回りに回転操作される。作動カム３３が回転することにより、縦部５２ａが上下に変位する。図１１に示すように縦部５２ａが上側へ変位すると当該第２ロック機構５０がロック状態となってテーブル２の回転位置が固定される。これに対して、図１３に示すように縦部５２ａが下側へ変位すると第２ロック機構５０がアンロック状態となってテーブル２が回転可能な状態となる。第２実施形態では、前側アーム５２と後側アーム５３に二分割されているため、当該第２ロック機構５０のロック、アンロック状態と、縦部３５ａの移動方向との関係が第１実施形態とは逆になっている。この点については後側アーム５３を説明した後に詳述する。
【００２１】
前記したように後側アーム５３の前部は、連結ピン５５を介して前側アーム５２の後部に連結されている。前側アーム５２の後部の上側に後側アーム５３の前部が、ほぼ重ね合わされた状態に連結されている。この連結ピン５５は前側アーム５２に固定されている。この連結ピン５５の上部が後側アーム５３の前部に設けた連結孔５３ａ内に下側から挿入されて、当該後側アーム５３の前部が前側アーム５２の後部に連結されている。連結孔５３ａは、前後に僅かに長い溝孔形状に形成されている。このため、連結孔５３ａ内において連結ピン５３ａは相対的に前後に僅かに変位（傾斜）可能となっている。これにより、前側アーム５２と後側アーム５３がその板厚方向（上下）に僅かに傾斜可能な状態で相互に連結されている。
後側アーム５３の後部は、第１実施形態と同様支軸（第２実施形態では後側支軸３６という）によって下方から受けられている。この後側支軸３６と連結ピン５５との間において、当該後側アーム５３は、圧縮ばね３８によって下方へ付勢されている。この圧縮ばね３８は、テーブル２の下面の横壁部２９と、椀形の受け座５６との間において保持柱部２９ａの周囲に装着されている。保持柱部２９ａの下部には結合ねじ３７が取り付けられている。この結合ねじ３７のフランジ部３７ａによって受け座５６が保持柱部２９ａの下部に保持されている。受け座５６は、後側アーム５３の前部に設けた受け孔５３ｂ内に上側から挿入されている。この受け座５６を介して圧縮ばね３８の付勢力が後側アーム５３の前側に作用する。
後側支軸３６の前側に作用する圧縮ばね３８の付勢力によって、当該後側アーム５３の後部５３ｃが上方へ付勢されている。図１０に示すようにこの後部５３ｃと横壁部２９に設けたロック壁部２９ｂとの間にベース３側に取り付けたロック板３ｂが挟み込まれることにより、ベース３に対するテーブル２の回転位置が固定される。このように後側アーム５３が後側支軸３６を中心とする「てこ」として作用することにより圧縮ばね３８の付勢力が増幅されて、ベース３のロック板３ｂが、後部５３ｃとロック壁部２９ｂとの間に強固に挟み込まれることによりテーブル３の回転位置が強固に固定される。このことから、圧縮ばね３８の付勢力はロック側に作用している。
これに対して図１２に示すように後側アーム５３の前部が圧縮ばね３８に抗して上方へ変位すると、当該後側アーム５３は後側支軸３６を中心にして反時計回り方向に傾動する結果、その後部５３ｃが下方へ変位してロック壁部２９ｂとの間でのロック板３ｂの挟み込み状態が解除され、従って当該第２ロック機構５０がアンロックされてテーブル２が回転可能な状態となる。
【００２２】
後側アーム５３の前部は、前側アーム５２の後部が圧縮ばね３８に抗して上方へ変位することによって上方へ押し上げられる。前側アーム５２の後部は、当該前側アーム５２が支軸５４を中心にして時計回り方向に傾動することによって上方へ変位し、この時その前側は下方へ変位する。従って、前側アーム５２は、圧縮ばね３８の間接作用によって、反時計回り方向（ロック側）に付勢されている。このように、前側アーム５２は、前側支軸５４で受けられて反時計回り方向がばね付勢されたロック側となる結果、前記したように第２実施形態では、第１実施形態とは異なって前側アーム５２の前部（縦部５２ａ）が図１０及び図１１に示すように上方へ変位した時にロック状態となる一方、図１２及び図１３に示すように下方へ変位した時にアンロック状態となる。従って、前側アーム５２の縦部５２ａは、圧縮ばね３８の間接作用により上方へ変位する方向（ロック側）に付勢されている。
図１１に示すようにグリップ部３２の左回りの回転操作により、作動カム３３がその両側部の係合部３３ｂ，３３ｂ（噛み合い歯３３ａ，３３ａ）を水平に位置させたロック位置に回転操作されると、一方の係合部３３ｂが切り換え孔５２ｂの下部から外れるため、当該係合部３３ｂの押し下げが解除され、その結果縦部５２ａが圧縮ばね３８の間接作用により上方へ変位する。縦部５２ａが上方へ変位することにより前側アーム５２が図１０において前側支軸５４を中心にして反時計回り方向に傾動し、従って後側アーム５３が圧縮ばね３８によって時計回りに傾動する結果、その後部５３ａとロック壁部２９ｂ間にロック板３ｂが挟み込まれて第２ロック機構５０がロック状態となる。
これに対して、図１３に示すようにグリップ部３２の右回りの回転操作により、作動カム３３がその両側部の係合部３３ｂ，３３ｂ（噛み合い歯３３ａ，３３ａ）を上下に位置させたアンロック位置に回転操作されると、一方の係合部３３ｂによって切り換え孔５２ｂの下部が下方へ押されるため、縦部５２ａが圧縮ばね３８の間接作用に抗して下方へ変位する。縦部５２ａが下方へ変位すると、前側アーム５２が図１２に示すように前側支軸５４を中心にして時計回り方向に傾動し、その結果後側アーム５３の前側が圧縮ばね３８に抗して上方へ押し上げられる。前側が押し上げられることによって、後側アーム５３は後側支軸３６を中心にして反時計回り方向に傾動してその後部５３ａが下方へ変位する。後部５３ｂが下方へ変位することによって、ロック壁部２９ｂとの間におけるロック板３ｂの挟み込み状態が解除されて第２ロック機構５０がアンロック状態となる。
図１１に示すように作動カム３３のロック側の回動端は、第１実施形態と同様一方の噛み合い刃３３ｂがストッパブロック３９のロック側ストッパ面３９ａ（下面）に当接することにより規制されている。これに対して、図１３に示すように作動カム３３のアンロック側の回動端は、ストッパブロック３９のアンロック側ストッパ面３９ｂ（側面）に他方の噛み合い歯３３ｂが当接することにより規制されている。このように、作動カム３３を約９０°回転操作することにより、当該第２ロック機構５０のロック、アンロック操作を行うことができる。
【００２３】
以上説明した第２実施形態の卓上切断機１における第２ロック機構５０よっても、グリップ部３２を圧縮ばね３４に抗して操作位置に移動させ、しかる後に回転操作することによって当該第２ロック機構５０のロック、アンロック状態を切り換え操作することができる。これに対して、グリップ部３２は何ら操作しない状態では非操作位置に保持されるため、回転操作しても空回りして作動カム３３が回転せず、従って当該第２ロック機構５０のロック状態若しくはアンロック状態は切り換わらない。
テーブル２のロック、アンロック操作時には、使用者はグリップ部３２を把持して手首に体勢を整えた後にそのまま操作位置側に押し込んでクラッチ部４０を噛み合わせ、この噛み合わせ状態で当該グリップ部３２を回転操作することにより、作動カム３３を回転させて当該第２ロック機構５０のロック、アンロック状態を切り換えることができる。
また、グリップ部３２を約９０°の範囲で回転操作すれば、第２ロック機構５０のロック、アンロック状態を切り換えることができる。これらのことから、第２実施形態に係る第２ロック機構５０によっても、第１実施形態と同様その操作性を高めることができる。
さらに、第２実施形態に係る第２ロック機構３０によれば、第１実施形態における一部材としてのロックアーム３５が前側ロックアーム５２と後側ロックアーム５３に二分されており、前側ロックアーム５２の組み付けに際しては圧縮ばね３８の作用を受けないことから当該第２ロック機構５０の組み付け作業を簡略化することができる。
また、後側ロックアーム５３については第１実施形態と同様、保持柱部２９ａに結合ねじ３７を締め込むことにより圧縮ばね３８の付勢状態に組み付けることができる。
さらに、第２実施形態に係る第２ロック機構５０においても、グリップ部３２を右回りに回転操作するとテーブル２の回転ロック状態がアンロックされ、左回りに回転操作するとテーブル２が回転不能にロックされることから、グリップ部に固定したロックねじの締め込みによる従来のロック機構とは逆になっている。このため、使用者が右利きである場合には、グリップ部３２の操作位置側への押し込み操作後、そのままグリップ部３２を右回りに回転操作してアンロックし、この時点の手首の姿勢を保持したままでテーブル２を回転操作することができるので、第１実施形態と同様右手首の負担を少なくすることができ、この点でも第２ロック機構５０の操作性をよくすることができる。
【００２４】
以上説明した第１及び第２実施形態には、更に変更を加えることができる。例えば、２系統の回転ロック機構２０，３０（５０）を備える卓上切断機１を例示したが、例示した第１ロック機構２０を備えない卓上切断機における回転ロック機構についても同様に適用することができる。
また、上下のスライド機構５，６あるいは左右傾動機構４を備えない卓上切断機についても同様に適用することができる。
さらに、作動軸３１にグリップ部３２を固定して、両者一体で軸方向及び軸回りに回転する構成を例示したが、作動軸はテーブル延長部２ａに対して軸方向及び軸回りに固定して設け、グリップ部をこの作動軸に対して回転可能かつ軸方向移動可能に支持する構成としてもよい。
また、グリップ部３２を右回りに回転操作してアンロック、左回りに回転操作してロックする構成を例示したが、ロック、アンロックの回転操作方向については逆にすることもできる。逆にするには、例えばストッパブロック３９の位置を例示した作動カム３３の右上側の位置から左上側の位置に変更すればよい。
また、グリップ部３２を約９０°回転操作してロック、アンロックする構成を例示したが、グリップ部の回転操作角度は任意に設定することができる。
さらに、グリップ部の操作位置と非操作位置との間の移動操作を省略して、その噛み合い歯が作動カムの噛み合い歯に常時噛み合った状態に設けて、グリップ部を単に回転操作してロック機構をロック、アンロックする構成と場合に、グリップ部を右回りに回転操作するとアンロックされ、左回りに回転操作するとロックされる構成とすることにより、前記したようにテーブル回転操作時における右手首の負担を少なくすることができる。
【図面の簡単な説明】
【００２５】
【図１】本実施形態の卓上切断機の全体側面図である。
【図２】テーブルの縦断面図であって、延長部に組み込まれた第１及び第２ロック機構の側面図である。本図は、第１及び第２ロック機構のロック状態を示している。また、グリップ部は非操作位置に戻された状態が示されている。
【図３】図２の(III)-(III)線断面矢視図である。本図は、作動カムがロック位置に位置する状態を示している。
【図４】テーブルの縦断面図であって、延長部に組み込まれた第１及び第２ロック機構の側面図である。本図は、第１ロック機構がロック状態で、第２ロック機構がアンロック状態を示している。グリップ部は非操作位置に戻された状態で示されている。
【図５】図４の(V)-(V)線断面矢視図である。本図は、作動カムがアンロック位置に位置する状態を示している。
【図６】テーブルの縦断面図であって、延長部に組み込まれた第１及び第２ロック機構の側面図である。本図は、第１及び第２ロック機構が共にアンロックされた状態を示している。グリップ部は非操作位置に位置する状態が示されている。
【図７】グリップ部及びその周辺を左前斜めから見た斜視図である。本図は、グリップ部が非操作位置に位置する状態で示されている。また、作動カムはロック位置に位置する状態で示されている。
【図８】グリップ部及びその周辺を左前斜めから見た斜視図である。本図は、グリップ部が操作位置に押し込まれた状態で示されている。また、作動カムはロック位置に位置する状態で示されている。
【図９】グリップ部及びその周辺を左前斜めから見た斜視図である。本図は、グリップ部が操作位置に押し込まれた状態で示されている。また、作動カムはアンロック位置に位置する状態で示されている。
【図１０】第２実施形態に係る第２ロック機構を備えたテーブル延長部の縦断面図である。本図は、第１及び第２ロック機構のロック状態を示している。また、グリップ部は非操作位置に戻された状態が示されている。
【図１１】図１０の(XI)-(XI)線断面矢視図である。本図は、作動カムがロック位置に位置する状態を示している。
【図１２】第２実施形態に係る第２ロック機構を備えたテーブル延長部の縦断面図である。本図は、第１ロック機構がロック状態で、第２ロック機構がアンロックされた状態を示している。グリップ部は非操作位置に戻された戻された状態で示されている。
【図１３】図１２の(XIII)-(XIII)線断面矢視図である。本図は、作動カムがアンロック位置に位置する状態を示している。
【符号の説明】
【００２６】
Ｗ…切断材
１…卓上切断機
２…テーブル、２ａ…延長部、２ｂ…刃口
３…ベース
３ａ…位置決め孔、３ｂ…ロック板、３ｃ…ねじ、３ｄ…補助テーブル部
４…左右傾動機構
５…下側のスライド機構
６…上側のスライド機構
７…位置決めフェンス
８…回転支軸
１０…切断機本体
１１…支軸
１２…電動モータ
１３…鋸刃
１４…ブレードケース
１５…可動カバー
１６…ハンドル部
２０…第１ロック機構
２１…ロックピン、２１ａ…係合ピン
２２…支軸
２３…支持壁部（前側）、２３ａ…支持孔
２４…支持壁部（後側）、２４ａ…支持孔
２５…圧縮ばね
２６…操作レバー、２６ａ…係合溝部、２６ｂ…脚部
２７…補助壁部、２７ａ…支持孔
２８…止め輪
２９…横壁部、２９ａ…保持柱部、２９ｂ…ロック壁部
３０…第２ロック機構
３１…作動軸
３２…グリップ部、３２ａ…噛み合い歯
３３…作動カム、３３ａ…噛み合い歯、３３ｂ…係合部
３４…圧縮ばね
３５…ロックアーム
３５ａ…縦部、３５ｂ…切り換え孔、３５ｃ…横部、３５ｄ…凹部、３５ｅ…挿通孔
３５ｆ…後端部
３６…支軸
３７…結合ねじ、３７ａ…フランジ部
３８…圧縮ばね
３９…ストッパブロック
３９ａ…ストッパ面（ロック側）、３９ｂ…ストッパ面（アンロック側）
４０…クラッチ部
５０…第２ロック機構（第２実施形態）
５１…ロックアーム
５２…前側アーム
５３…後側アーム
５４…前側支軸
５５…連結ピン
５６…受け座
【図１】
2010058229.tif 000003
【図２】
2010058229.tif 000004
【図３】
2010058229.tif 000005
【図４】
2010058229.tif 000006
【図５】
2010058229.tif 000007
【図６】
2010058229.tif 000008
【図７】
2010058229.tif 000009
【図８】
2010058229.tif 000010
【図９】
2010058229.tif 000011
【図１０】
2010058229.tif 000012
【図１１】
2010058229.tif 000013
【図１２】
2010058229.tif 000014
【図１３】
2010058229.tif 000015